(57)【要約】【課題】ガーゼが目の粗い平織物の布であることの欠点を克服することができる多重ガーゼ織物を提供する。【解決手段】複数の織組織２、３を積層してなる織布に、酸化チタン、ハイドロキシアパタイト、銀の混合物質からなる加工剤が塗布されてなる。【選択図】図１
0003217745.tif 000002
【実用新案登録請求の範囲】
【請求項１】
複数の織組織を積層してなる織布に、酸化チタン、ハイドロキシアパタイト、銀の混合物質からなる加工剤が塗布されてなることを特徴とする多重ガーゼ織物。
【請求項２】
織布が、表側をなす表織組織と、裏側をなす裏織組織と、中間の中間織組織と、織組織の相互間を結ぶ結合部を備えることを特徴とする請求項１に記載の多重ガーゼ織物。
【請求項３】
織布が、織布の表側をなす表織組織と、裏側をなす裏織組織と、双方の織組織を結ぶ結合部を備える二重ガーゼ織物であることを特徴とする請求項１に記載の多重ガーゼ織物。
【請求項４】
表織組織は、竹原料由来のレーヨンからなるコンパクトサイロ糸の経糸と、綿糸からなる無撚糸の緯糸とを製織してなり、
裏織組織は、竹原料由来のレーヨンからなるコンパクトサイロ糸の経糸と、綿糸からなるコンパクトサイロ糸の緯糸とを製織してなり、
結合部は、表織組織の一部の緯糸を裏織組織の一部の経糸に織り込んでなることを特徴とする請求項３に記載の多重ガーゼ織物。
【考案の詳細な説明】
【技術分野】
【０００１】
本考案は、多重ガーゼ織物に係り、花粉、ハウスダスト、カビ等のタンパク質や、汗、ニオイ、不衛生タンパク質を分解して水に変える機能を有する織布に関する。
【背景技術】
【０００２】
従来の二重ガーゼ織物には、例えば特許文献１に記載するものがある。これは、表面に相当する第１ガーゼ組織および裏面に相当する第２ガーゼ組織から構成される二重ガーゼ織物である。第１ガーゼ組織と第２ガーゼ組織とは、適所において結ばれている。第１ガーゼ組織は、経糸（または緯糸）に、撚り係数が３．３以上の第１撚糸を用いて、かつ緯糸（または経糸）に、撚り係数が３．０以下の第２撚糸を用いて形成されている。第２ガーゼ組織は、緯糸（または経糸）に、撚り係数が３．３以上の第３撚糸を用いて、かつ経糸（または緯糸）に、撚り係数が３．０以下の第４撚糸を用いて形成されている。
【０００３】
また、特許文献２に記載するものは、少なくとも第１の織組織と第２の織組織を備えた多重織物である。第１の織組織の経糸及び緯糸と、第２の織組織の経糸及び緯糸とが、表裏交替するものである。これら第１，第２の織組織により多重織物の表側層または裏側層が構成される。第１の織組織の経糸及び／または緯糸に無撚糸を用い、第２の織組織を構成する経糸及び緯糸に撚糸を用いる。
【先行技術文献】
【特許文献】
【０００４】
【特許文献１】特許第６０９０８９４号
【特許文献２】実用新案登録第３１５４７３６号
【考案の概要】
【考案が解決しようとする課題】
【０００５】
ところで、一般的なガーゼは木綿の糸からなる目の粗い平織物の布であり、目が粗い分、通気性が良く、軽くて柔らかい特徴を有する。この通気性の良さと吸湿性があることから、赤ちゃん用の肌着、ハンカチ、掛け布団などに用いられており、肌触りが良いことからシャツやストールに使用されることがある。
【０００６】
しかし、ガーゼは目の粗い平織物の布であるが故に、花粉、ハウスダスト、カビ等が織組織中に侵入し易い問題があり、ガーゼで仕立てた衣類の課題となっている。
【０００７】
本考案は上記した課題を解決するものであり、ガーゼが目の粗い平織物の布であることの欠点を克服することができる多重ガーゼ織物を提供することを目的とする。
【課題を解決するための手段】
【０００８】
上記課題を解決するために、本考案に係る多重ガーゼ織物は、複数の織組織を積層してなる織布に、酸化チタン、ハイドロキシアパタイト、銀の混合物質からなる加工剤が塗布されてなることを特徴とする。
【０００９】
また、本考案に係る多重ガーゼ織物において、織布が、表側をなす表織組織と、裏側をなす裏織組織と、中間の中間織組織と、織組織の相互間を結ぶ結合部を備えることを特徴とする。
【００１０】
また、本考案に係る多重ガーゼ織物において、織布が、織布の表側をなす表織組織と、裏側をなす裏織組織と、双方の織組織を結ぶ結合部を備える二重ガーゼ織物であることを特徴とする。
【００１１】
また、本考案に係る多重ガーゼ織物において、表織組織は、竹原料由来のレーヨンからなるコンパクトサイロ糸の経糸と、綿糸からなる無撚糸の緯糸とを製織してなり、裏織組織は、竹原料由来のレーヨンからなるコンパクトサイロ糸の経糸と、綿糸からなるコンパクトサイロ糸の緯糸とを製織してなり、結合部は、表織組織の一部の緯糸を裏織組織の一部の経糸に織り込んでなることを特徴とする。
【図面の簡単な説明】
【００１２】
【図１】本考案の実施の形態における二重ガーゼ織物の組織を示し、結合部を含む部位を示す模式図
【図２】同実施の形態におけるおける二重ガーゼ織物の組織を示し、結合部を含まない部位を示す模式図
【考案を実施するための形態】
【００１３】
以下、本考案の実施の形態を図面に基づいて説明する。
（織組織）
本実施の形態では、二重ガーゼ織物について説明するが、本考案は二重ガーゼ織物に限るものではなく、織布が、表側をなす表織組織と、裏側をなす裏織組織と、中間の中間織組織と、織組織の相互間を結ぶ結合部を備えるものにも適用可能であり、中間織組織が複数である場合にも適用可能である。
【００１４】
図１および図２において、二重ガーゼ織物１は、ドビー織の織布であり、織布の表側をなす表織組織２と、裏側をなす裏織組織３と、双方の織組織２、３を結ぶ結合部４を備える。
【００１５】
表織組織２は、経糸２１に竹原料由来のレーヨンからなるコンパクトサイロ糸を使用し、緯糸２２に綿糸からなる無撚糸を使用して製織されたものである。この実施の形態では、経糸２１のレーヨンのコンパクトサイロ糸は、撚り係数３．１０で、英式綿番手表示３０番手の単糸であり、緯糸２２の無撚糸は、英式綿番手表示３０番手の単糸である。
【００１６】
また、裏織組織は、経糸３１に竹原料由来のレーヨンからなるコンパクトサイロ糸を使用し、緯糸３２に綿糸からなるコンパクトサイロ糸を使用して製織されたものである。経糸３１のレーヨンのコンパクトサイロ糸は、撚り係数３．１０で、英式綿番手表示３０番手の単糸であり、緯糸３２の綿糸のコンパクトサイロ糸は、撚り係数３．２９で、英式綿番手表示３０番手の単糸である。
【００１７】
しかし、表織組織と裏織組織の経糸のレーヨンからなるコンパクトサイロ糸には、撚り係数３．１０から３．１６で、英式綿番手表示３０から４０番手の単糸を使用可能である。また、表織組織の緯糸の綿糸からなる無撚糸には、英式綿番手表示３０から４０番手の単糸を使用可能である。また、裏織組織の緯糸の綿糸からなるコンパクトサイロ糸には、撚り係数３．２９から３．９５で、英式綿番手表示３０から４０番手の単糸を使用可能である。
【００１８】
結合部４では、表織組織２の一部の緯糸２２を裏織組織３の一部の経糸３１に織り込んでいる。この例では、緯糸２２が１６本に１本の割合いで、縦糸３１が２８本に１本の割合で相互に織り込まれている。この割合は限定的な値ではなく、適宜に設定することができる。また、表織組織２の一部の経糸２１を裏織組織３の一部の緯糸３２に織り込むことも可能である。
【００１９】
このように、本実施の形態に係る二重ガーゼ織物１は、表織組織２が経糸２１に竹原料由来のレーヨンのコンパクトサイロ糸を配し、緯糸２２に綿糸の無撚糸を配してなるので、レーヨンの特性、つまり吸湿性、吸水性が良く、光沢があり着心地が優れてドレープ性があることと、無撚糸の特性、つまりふんわりとしてやわらかな風合いであることを同時に有して、織布の質感、風合いが向上する。
【００２０】
また、裏織組織３が経糸３１に竹原料由来のレーヨンのコンパクトサイロ糸を配し、緯糸３２に綿糸のコンパクトサイロ糸を配してなるので、裏織組織３によって二重ガーゼ織物１としての十分な強度が確保される。
【００２１】
このガーゼ織物１の織布には、酸化チタン、ハイドロキシアパタイト、銀の混合物質からなる加工剤が塗布されている。この加工剤は、光触媒を進化させたものであり、光がなくても作用するハイブリッド触媒で、花粉、ハウスダスト、カビ等のタンパク質や、汗、ニオイ、不衛生タンパク質を分解して水に変える機能を有している。
【００２２】
１．「酸化チタン」（ＴｉＯ２）＝代表的な光触媒の物質で、花粉・ハウスダスト・カビ・汗・ニオイ等のタンパク質、不衛生タンパク質を分解する。酸化チタンは、安全性の高い物質で、女性のファンデーションの主成分として使用されており、食品添加物としてホワイトチョコレートなどにも使われている。
【００２３】
２．「ハイドロキシアパタイト」（ＨＡｐ ： Ｃａ１０（Ｐｏ４）６（ＯＨ）２）＝カルシウムの一種で、花粉・ハウスダスト・カビ・汗・ニオイ等のタンパク質、不衛生タンパク質を繊維の中で吸着する。
【００２４】
３．「銀」（Ａｇ）＝酸化チタンの電極となり、分解活動を促進する。この微量の銀が光に変わってエネルギー源となるため、光がない状態でも分解が進む。以上３つの働きで、タンパク質を分解する。
【００２５】
さらに、本考案の実施の形態に係る二重ガーゼ織物の織布は、性質のことなる３種の糸、すなわち竹原料由来のレーヨンのコンパクトサイロ糸と綿糸の無撚糸と綿糸のコンパクトサイロ糸からなるのであっても、その製造過程において真空下で水蒸気による熱処理と真空乾燥とを施すことによって、事前に意図的に縮ませた形態をなし、その縮が織布の全体に万遍なく生じた形態となる。このため、洗濯等の要因に対して形状の変形が起こり難く、縫製後の衣類は、偏った縮に起因する型崩れが抑制されたものとなる。
【００２６】
表織組織２の緯糸２２を無撚糸にする方法は公知であるが、以下に説明する。ここでは、英式綿番手表示３０番手の綿単糸で、撚り係数３．２９のコンパクトサイロ糸と、英式綿番手表示８０番手の単糸で、撚り係数３．２９のコンパクトサイロ糸からなる
1528854589501_0
とを合糸し、さらに逆方向に撚って双糸にする。この時元の糸の撚りはなくなって無撚糸になっているが、
1528854589501_1
が撚り係数３．２９の撚りで絡んでいる。このままで生地にした後、染色等で水につけることで、水溶性の糸は溶けてなくなり、出来上がった生地は無撚糸となる。
【符号の説明】
【００２７】
１  二重ガーゼ織物
２  表織組織
３  裏織組織
４  結合部
２１  経糸
２２  緯糸
３１  経糸
３２  緯糸
【図１】
0003217745.tif 000003
【図２】
0003217745.tif 000004